(57)【要約】【課題】絶縁及び冷却性能を低下させず、電気機器を小型化して据付面積を縮小できるベーパミスト絶縁式電気機器を提供する。【解決手段】容器１内に本体２を収納して混合絶縁媒体５を満たし、また容器１にミスト発生器１０を設けている。ミスト発生器１０によって、機器の使用状態で液体にできるミスト用絶縁物をベーパミスト化する。容器１内の混合絶縁媒体５は、気体絶縁媒体である乾燥空気又は窒素ガスのいずれか一方と、不燃及び不活性で無毒な温暖化係数１のミスト用絶縁物のベーパミストとを混合させて用いている。【選択図】図１
2010171173.tif 000002
【特許請求の範囲】
【請求項１】
容器内に機器本体を収納すると共に、前記容器には機器の使用状態で液体のミスト用絶縁物をベーパミスト化するミスト発生器を設け、前記容器内を前記ベーパミスト発生器からのベーパミストを気体絶縁媒体中に分散させた混合絶縁媒体で満たしたベーパミスト絶縁式電気機器において、前記混合絶縁媒体は、気体絶縁媒体としての乾燥空気又は窒素ガスのいずれか一方と、不燃及び不活性で無毒な温暖化係数１のミスト用絶縁物のベーパミストとを混合させて用いたことを特徴とするベーパミスト絶縁式電気機器。
【請求項２】
請求項１において、温暖化係数１のミスト用絶縁物は、ドテカフルオロ２メチルペンタン３ワンであることを特徴とするベーパミスト絶縁式電気機器。
【発明の詳細な説明】
【技術分野】
【０００１】
本発明はベーパミスト絶縁式電気機器に係り、特にガス絶縁変圧器やガス絶縁遮断器等のベーパミスト絶縁式電気機器に関する。
【背景技術】
【０００２】
ベーパミスト絶縁式電気機器である例えばガス絶縁変圧器は、容器内に鉄心や巻線等からなる機器本体を収納し、容器内に六弗化硫黄（以下、「ＳＦ６」と称する）ガス等の絶縁ガスを封入している。その上、不燃及び不活性で無毒であり、しかも使用状態で液状であるパーフルオロカーボン（以下、「ＰＦＣ」と略する）の如き液体絶縁物を冷却媒体として用い、冷却媒体となる液体絶縁物を噴霧器等で霧化させ、容器内の絶縁ガス中に噴霧混合させて長時間浮遊するように構成している。
【０００３】
容器内に絶縁ガスと共に満たされている霧化混合された液体絶縁物は、発熱部である機器本体に触れて蒸発することによって冷却を行い、冷却媒体の液体絶縁物は、蒸発後は容器に設けられている凝縮器で液化し、液化した液体絶縁物を繰返し霧化させて冷却媒体として使用している（特許文献１参照）。
【０００４】
また、ガス絶縁母線は、電気機器本体となる母線導体を、円筒状の容器内に配置する際に、絶縁スペーサや支持絶縁物を用いて絶縁支持させ、ＳＦ６ガス等の絶縁ガスを密封している。この種のガス絶縁母線でも、円筒状の容器の下部にベーパミスト供給装置を設け、このベーパミスト供給装置において冷却媒体となる液体絶縁物を噴霧器等で霧化させ、円筒状の容器内の絶縁ガス中に噴霧して混合し、長時間浮遊させることが提案されている（特許文献２参照）。
【先行技術文献】
【特許文献】
【０００５】
【特許文献１】特開平８−３０６５４９号公報
【特許文献２】特許第２７３８９９７号公報
【発明の開示】
【発明が解決しようとする課題】
【０００６】
しかしながら、ベーパミスト絶縁式電気機器に、絶縁ガスに霧化させて冷却媒体として使用する液体絶縁物のＰＦＣは、温暖化係数が１の二酸化炭素ガス（以下、「ＣＯ２」と称する）の数千倍であることから、ＳＦ６ガスと同様に温室効果ガスと指定されたため、双方ともベーパミスト絶縁式電気機器に使用することが困難になった。
【０００７】
本発明の目的は、地球温暖化に影響を与えることの少ない混合絶縁媒体を用いることにより、絶縁及び冷却性能を低下させることがなくて、電気機器を小型化して据付面積を縮小できるベーパミスト絶縁式電気機器を提供することにある。
【課題を解決するための手段】
【０００８】
本発明は、容器内に機器本体を収納すると共に、前記容器には機器の使用状態で液体のミスト用絶縁物をベーパミスト化するミスト発生器を設け、前記容器内を前記ベーパミスト発生器からのベーパミストを気体絶縁媒体中に分散させた混合絶縁媒体で満たしたベーパミスト絶縁式電気機器において、前記混合絶縁媒体は、気体絶縁媒体としての乾燥空気又は窒素ガスのいずれか一方と、不燃及び不活性で無毒な温暖化係数１のミスト用絶縁物のベーパミストとを混合させて用いたことを特徴としている。
【０００９】
好ましくは、温暖化係数１の前記ミスト用絶縁物は、ドテカフルオロ２メチルペンタン３ワンであることを特徴としている。
【発明の効果】
【００１０】
本発明のベーパミスト絶縁式電気機器によれば、容器内に満たす混合絶縁媒体は、気体絶縁媒体としての乾燥空気又は窒素ガスのいずれか一方と、不燃及び不活性で無毒な温暖化係数１のミスト用絶縁物のベーパミストとを混合させているから、温暖化係数がＣＯ２と同程度になり、仮に流出事故等があった場合でも地球温暖化への影響葉少ない。このため、混合絶縁媒体は環境に優しく不燃でＰＦＣと同程度の絶縁性能及び冷却性能が得られるから、電気機器を小型化できて据付面積を縮小できる利点がある。
【図面の簡単な説明】
【００１１】
【図１】本発明の一実施例であるベーパミスト絶縁式電気機器を示す概略縦断面図である。
【図２】本発明の他の実施例であるベーパミスト絶縁式電気機器を示す概略縦断面図である。
【発明を実施するための形態】
【００１２】
本発明のベーパミスト絶縁式電気機器は、容器内に電気機器本体を収納して気体絶縁媒体を封入する。容器には、ミスト用絶縁物をベーパミスト化するミスト発生器を設け、このミスト発生器からのベーパミストを気体絶縁媒体中に分散させて混合絶縁媒体としている。そして、混合絶縁媒体は、気体絶縁媒体としての乾燥空気又は窒素ガスのいずれか一方と、不燃及び不活性で無毒な温暖化係数１のミスト用絶縁物のベーパミストとを混合させて使用している。
【実施例１】
【００１３】
以下、本発明のベーパミスト絶縁式電気機器を、図１に示すガス絶縁変圧器の例を用いて説明する。ガス絶縁変圧器は、図１に示すように容器１内に鉄心３や巻線４等からなる機器本体２を収納し、内部に機器本体２の絶縁用として後述する如き混合絶縁媒体５を満たしている。
【００１４】
容器１には、混合絶縁媒体５を冷却する冷却器６を配管７にて取り付け、配管７に介在させるブロア８にて循環させている。また、この例では、容器１の下部にミスト発生器１０を設置し、このミスト発生器１０にてミスト用絶縁物をベーパミスト化し、気体絶縁媒体と混合させ、容器１内の混合絶縁媒体５としている。
【００１５】
なお、ミスト発生器１０としては、一般的に知られている噴霧器や液体中に配置する超音波振動子等を使用し、ミスト用絶縁物をベーパミスト化することができる。
【００１６】
本発明のガス絶縁変圧器では、容器１内の混合絶縁媒体５は、気体絶縁媒体としての乾燥空気又は窒素ガスのいずれか一方に、不燃及び不活性で無毒なＣＯ２と同等の温暖化係数１で、変圧器の使用状態で液体にできるミスト用絶縁物を用い、ミスト用絶縁物をミスト発生器１０によってベーパミスト化し、気体絶縁媒体に混合して使用している。
【００１７】
ベーパミスト化するミスト用絶縁物としては、不燃及び不活性で無毒であって、冷却媒体としても使用できて絶縁性のある液体、例えば消火液のＮｏｖｅｃ（スリーエム社の商品名）１２３０として知られているドテカフルオロ２メチルペンタン３ワン（ＣＦ３ＣＦ２Ｃ（Ｏ）ＣＦ（ＣＦ３）２）を使用する。この消火液は、ベーパミスト化しやすく、また機器の絶縁性能及び冷却性能の面から極めて効果的である。
【００１８】
上記した構成のガス絶縁変圧器は、機器本体２等の発熱部分の熱を、混合絶縁媒体５中のベーパミストの蒸発潜熱で奪って蒸気化して冷却する。この混合絶縁媒体５は、冷却器６で冷却されるから、蒸気化したミスト用絶縁物は液状になる。液状となったミスト用絶縁物は、液戻り管９から弧状等に形成した容器１の底部に導かれ、ミスト発生器１０に集めて再度ベーパミスト化して繰返し使用される。
【００１９】
なお、混合絶縁媒体５中に存在するミスト用絶縁物のベーパミストの量を監視するため、容器１に濃度検出器（図示せず）を設け、濃度検出器に制御装置を組み合せて使用すると、ミスト発生器１０で発生するベーパミスト量を制御し、絶縁性能及び冷却性能を適切に維持させることができる。
【実施例２】
【００２０】
本発明の別の例である図２に示すガス絶縁変圧器は、容器１内に鉄心３や巻線４等からなる機器本体２を収納し、内部に機器本体２の絶縁用として混合絶縁媒体５を満たしたものであり、冷却器６等は上記図１の実施例と同様に構成している。
【００２１】
このガス絶縁変圧器では、容器１の底部に液溜め槽７を設けると共に、容器１の上部にミスと発生器１０を設けており、これら両者間は液ポンプ１３を有する液体配管１２で連結し、液体絶縁物が循環できて、しかも上方のミスト発生器１０からベーパミストを容器１内に容易に噴霧できるように構成したものである。
【００２２】
この構成のガス絶縁変圧器では、混合絶縁媒体５中のベーパミストが、発熱している機器本体２から蒸発潜熱を奪って蒸気化しても、冷却器６で凝縮して液体絶縁物にされ、冷却器６の液戻り配管９から容器１０の底部に設けた液溜め槽１１に溜まって回収されるから、この液体絶縁物は液ポンプ１３を用いて液体配管１２を通して上方のミスト発生器１０に送り、ベーパミスト化して混合絶縁媒体５中に混入して繰返し使用できる。
【００２３】
この実施例においても、上記実施例１と同様な効果を達成できるし、上方のミスト発生器１０からのベーパミストを容器１内に極めて簡単に噴霧でき、混合絶縁媒体５中に混入させて機器本体２等の発熱部を冷却することができる。
【００２４】
上記した各実施例では、本発明についてガス絶縁変圧器を用いて説明したが、ガス遮断器やガス絶縁開閉装置等にも適用し、同様な効果を達成することができる。
【符号の説明】
【００２５】
１…容器、２…機器本体、５…混合絶縁媒体、６…冷却器、７…配管、１０…ミスト発生器。
【図１】
2010171173.tif 000003
【図２】
2010171173.tif 000004